(57)【特許請求の範囲】
【請求項１】
間に屈曲部を有し、その両端が互いに対向して伸び、全体として屈曲形状をなし、屈曲部にて開閉方向に変形可能な握持用本体と、
この把持用本体の内側に分離可能に配置され、前記握持用本体を閉じるときに前記握持用本体に押圧されて閉じる分離体と、
前記握持用本体及び前記分離体のそれぞれの内部に医療用チューブを保持するように形成されたチューブ保持孔と、
このチューブ保持孔と外部空間とを連通して前記握持用本体及び前記分離体の側部に形成された連通路と、
前記握持用本体を閉じたとき、前記医療用チューブの該当個所を挟圧して流れを阻止するように、前記握持用本体の内側の対応する個所及び前記分離体の内側の対応する個所に設けられた第１止流部及び第２止流部と、
前記握持用本体を閉じたとき、前記第１止流部及び前記第２止流部の止流状態を維持するように、前記握持用本体及び前記分離体に設けられた第１保持部及び第２保持部と、
前記握持用本体を閉じたとき、前記医療用チューブを前記第１止流部及び第２止流部の間で切断するカッターとを有し、
前記把持用本体の屈曲部側に前記第１止流部が配置され、前記把持用本体の両端の開放側に前記分離体と該分離体の内側に設けられた前記第２止流部が配置されており、
前記連通路と前記チューブ保持孔とは、全体として、外部空間側から前記チューブ保持孔内部へ至る方向において、幅が漸減するテーパ状部と、幅が拡大する拡大状部とを有し、
前記連通路のうち少なくとも前記把持用本体の屈曲部側に位置する連通路は、少なくとも一方の側部が、その側方に形成された溝によって、弾性的に開閉できるようにバネ性をもたらされており、
前記第１止流部の突起と突起との隙間をＷ1 、前記第２止流部の突起と突起との隙間をＷ2 、前記握持用本体に形成されたチューブ保持孔の内径をＤ1 、前記分離体に形成されたチューブ保持孔の内径をＤ2 、前記チューブの外径をＤ0 としたとき、Ｗ2 ＜Ｗ1 ＜Ｄ1 〜Ｄ2 、かつ、Ｗ2 ＜Ｄ0 とされていることを特徴とする医療用チューブの切り離し具。
【請求項２】
間に屈曲部を有し、その両端が互いに対向して伸び、全体として屈曲形状をなし、屈曲部にて開閉方向に変形可能な握持用本体と、
この握持用本体の内側に分離可能に配置され、前記握持用本体を閉じるときに前記握持用本体に押圧されて閉じる分離体と、
前記握持用本体及び前記分離体のそれぞれの内部に医療用チューブを保持するように形成されたチューブ保持孔と、
このチューブ保持孔と外部空間とを連通して前記握持用本体及び前記分離体の側部に形成された連通路と、
前記握持用本体を閉じたとき、前記医療用チューブの該当個所を挟圧して流れを阻止するように、前記握持用本体の内側の対応する個所及び前記分離体の内側の対応する個所に設けられた第１止流部及び第２止流部と、
前記握持用本体を閉じたとき、前記第１止流部及び前記第２止流部の止流状態を維持するように、前記握持用本体及び前記分離体に設けられた第１保持部及び第２保持部と、
前記握持用本体を閉じたとき、前記医療用チューブを前記第１止流部及び第２止流部の間で切断するカッターとを有し、
前記把持用本体の屈曲部側に前記第１止流部が配置され、前記把持用本体の両端の開放側に前記分離体と該分離体の内側に設けられた前記第２止流部が配置されており、
前記カッターは、前記連通路の開口方向に向かうほど長く突出した斜めの刃先を有しており、
前記第１止流部の突起と突起との隙間をＷ1 、前記第２止流部の突起と突起との隙間をＷ2 、前記握持用本体に形成されたチューブ保持孔の内径をＤ1 、前記分離体に形成されたチューブ保持孔の内径をＤ2 、前記チューブの外径をＤ0 としたとき、Ｗ2 ＜Ｗ1 ＜Ｄ1 〜Ｄ2 、かつ、Ｗ2 ＜Ｄ0 とされていることを特徴とする医療用チューブの切り離し具。
【発明の詳細な説明】
【０００１】
【発明の属する技術分野】
本発明は、例えば人口透析、点滴等に使用される医療用チューブに付設しておき、地震、火事等の災害発生時に、患者が自己の身体に連結された医療用チューブを切り離し、しかも血液等が流出してしまわないように流れを止めて、迅速に退避できるようにした医療用チューブの切り離し具に関する。
【０００２】
【従来の技術】
例えば腎臓病患者は、自分の血液における毒素を浄化するため、３日に１回は５〜８時間かけて人工透析の治療を受けなければならない。これには、図１２に示すように、患者の人体Ａと人工腎臓装置Ｂとを医療用チューブＣにより連結することで、血液回路を閉成する。この際、チューブＣの連結端部Ｃ’、Ｃ’は、患者の両腕に外れることのないように取付けられているから、患者は寝たままの状態にあって自由に動くことができない。
【０００３】
したがって、このような場合に地震、火災などの災害が発生したとすれば、患者は自力で逃げ出すことが不可能であり、このため、ナースなどにより図１３に示すように、流路用チューブＣをクリップＤ、Ｄ’によって挟持し、これにより血流を阻止した後、鋏Ｅによって同チューブＣをクリップＤ、Ｄ’間で切断することで、連結端部Ｃ’、Ｃ’を付けたまま患者が逃げられるようにしてやらなければならなかった。
【０００４】
このような問題点を解決するため、本出願人は、特開昭６２−２７５４７０号において、図９〜１０に示すような医療用チューブの切り離し具を提案した。
【０００５】
この切り離し具１１は、一対の握持部１２ａ，１２ｂを屈曲部１２ｃで連結してなるＵ字状の握持用本体１２と、この握持用本体１２の内側に薄肉状の連結部１３を介して連結されて配置された分離体１４とを備えている。握持用本体１２及び分離体１４には、薬液チューブＣを挿通するための挿通孔１５ａ、１５ｂ、１５ｃ、１５ｄが形成されている。
【０００６】
一方の握持部１２ａの内側には突起１６が形成され、この突起１６の一側部には爪部１７が形成されている。また、もう一方の握持部１２ｂの内側には突出片１８が形成され、この突出片１８の一側部には直角に伸びる突起１９が形成されている。握持用本体１２を閉じたとき、握持部１２ａの突起１６が、握持部１２ｂの突起１９に圧接されて、チューブＣを挟圧して血流を止めるようにされており、この突起１６、１９によって第１止流部２０が構成されている。
【０００７】
また、突出片１８の先端には爪部２１が形成されている。そして、握持用本体１２を閉じたとき、握持部１２ａの爪部１７が、握持部１２ｂの爪部２１に係合して、握持用本体１２を閉じた状態、すなわち第１止流部２０によって血流を止めた状態に維持するようになっており、これらの爪部１７、２１により第１保持部２２が構成されている。
【０００８】
分離体１４は、全体としてＣ字形をなし、その一端部１４ａと、他端部１４ｂとが、握持用本体１２の握持部１２ａ，１２ｂを閉じたとき、握持部１２ａ，１２ｂに押圧されて閉じるようになっている。
【０００９】
分離体１４の一端部１４ａの内側には突起２３が形成され、他端部１４ｂの内側には突起２４が形成され、握持用本体１２を閉じて分離体１４も閉じたとき、チューブＣが突起２３、２４に挟圧されて血流を止めるようになっており、この突起２３、２４により第２止流部２５が形成されている。
【００１０】
更に、分離体１４の一端部１４ａの先端には爪部２６が形成され、他端部１４ｂの先端は、上記一端部１４ａに近接するよう延出されて、そこに爪部２７が形成されている。そして、握持用本体１２を閉じて分離体１４も閉じたとき、上記爪部２６、２７が係合して、分離体１４を閉じた状態、すなわち第２止流部２５によって血流を止めた状態に維持するようになっており、これらの爪部２６、２７により第２保持部２８が構成されている。
【００１１】
更にまた、握持用本体１２の一方の握持部１２ａの内側には、支持片２９を介してカッター３０が取付けられている。このカッター３０は、握持用本体１２を閉じたとき、チューブＣを第１止流部２０と第２止流部２５との間で切断し、かつ、握持用本体１２と分離体１４とを連結する連結部１３を切断するようになっている。
【００１２】
したがって、この切り離し具１１によれば、図９に示すように、医療用チューブＣを挿通孔１５ａ、１５ｂ、１５ｃ、１５ｄに挿通して、切り離し具１１を医療用チューブＣに付設しておく。この切り離し具１１の取付け位置は、患者の身体に近いところ、例えば図１２のＦ、Ｆ’等とする。
【００１３】
そして、地震、火災等の災害が起こったとき、患者は、図１０に示すように、握持用本体１２の握持部１２ａ、１２ｂを手で握って閉じる。その結果、握持用本体１２に設けられた第１止流部２０の突起１６、１７によりチューブＣが挟圧されてその部分の血流が止められ、第１保持部２２の爪部１７、２１が係合してその状態が維持される。
【００１４】
また、分離体１４に設けられた第２止流部２５の突起２３、２４によりチューブＣが挟圧されてその部分の血流が止められ、第２保持部２８の爪部２６、２７が係合してその状態が維持される。
【００１５】
更に、カッター３０が、チューブＣを切断し、更に連結部１３を切断して、握持用本体１２と分離体１４とを分離する。
【００１６】
そして、図１１に示すように、患者の身体に連結されたチューブＣ’は、分離体１４の第２止流部２５によって血流を止めた状態に維持され、人工腎臓装置等に連結されたチューブＣは、握持用本体１２の第１止流部２０によって血流を止めた状態に維持される。その結果、患者は、分離体１４によって血流を止められたチューブＣ’を付けたまま脱出することが可能となる。
【００１７】
【発明が解決しようとする課題】
しかしながら、図９〜１１に示した従来の医療用チューブの切り離し具１１においては、医療用チューブＣに切り離し具１１を付設するとき、医療用チューブＣの端部から挿通孔１５ａ、１５ｂ、１５ｃ、１５ｄに挿通しなければならないので、医療用チューブＣへの装着が面倒で、時間がかかるという問題があった。また、人工腎臓装置等に医療用チューブＣを連結して透析回路等を組み立てる前に、切り離し具１１を医療用チューブＣに装着しておかなければならず、そのため取扱中に切り離し具１１が作動してしまう虞れがあるという問題があった。
【００１８】
したがって、本発明の目的は、医療用チューブへの装着が容易で、透析回路等を組み立てた後に医療用チューブに取付けることができるようにした医療用チューブの切り離し具を提供することにある。
【００１９】
【課題を解決するための手段】
上記目的を達成するため、本発明の第１は、間に屈曲部を有し、その両端が互いに対向して伸び、全体として屈曲形状をなし、屈曲部にて開閉方向に変形可能な握持用本体と、この把持用本体の内側に分離可能に配置され、前記握持用本体を閉じるときに前記握持用本体に押圧されて閉じる分離体と、前記握持用本体及び前記分離体のそれぞれの内部に医療用チューブを保持するように形成されたチューブ保持孔と、このチューブ保持孔と外部空間とを連通して前記握持用本体及び前記分離体の側部に形成された連通路と、前記握持用本体を閉じたとき、前記医療用チューブの該当個所を挟圧して流れを阻止するように、前記握持用本体の内側の対応する個所及び前記分離体の内側の対応する個所に設けられた第１止流部及び第２止流部と、前記握持用本体を閉じたとき、前記第１止流部及び前記第２止流部の止流状態を維持するように、前記握持用本体及び前記分離体に設けられた第１保持部及び第２保持部と、前記握持用本体を閉じたとき、前記医療用チューブを前記第１止流部及び第２止流部の間で切断するカッターとを有し、前記把持用本体の屈曲部側に前記第１止流部が配置され、前記把持用本体の両端の開放側に前記分離体と該分離体の内側に設けられた前記第２止流部が配置されており、前記連通路と前記チューブ保持孔とは、全体として、外部空間側から前記チューブ保持孔内部へ至る方向において、幅が漸減するテーパ状部と、幅が拡大する拡大状部とを有し、前記連通路のうち少なくとも前記把持用本体の屈曲部側に位置する連通路は、少なくとも一方の側部が、その側方に形成された溝によって、弾性的に開閉できるようにバネ性をもたらされており、前記第１止流部の突起と突起との隙間をＷ1 、前記第２止流部の突起と突起との隙間をＷ2 、前記握持用本体に形成されたチューブ保持孔の内径をＤ1 、前記分離体に形成されたチューブ保持孔の内径をＤ2 、前記チューブの外径をＤ0 としたとき、Ｗ2 ＜Ｗ1 ＜Ｄ1 〜Ｄ2 、かつ、Ｗ2 ＜Ｄ0 とされていることを特徴とする医療用チューブの切り離し具を提供するものである。
【００２０】
本発明の第２は、間に屈曲部を有し、その両端が互いに対向して伸び、全体として屈曲形状をなし、屈曲部にて開閉方向に変形可能な握持用本体と、この握持用本体の内側に分離可能に配置され、前記握持用本体を閉じるときに前記握持用本体に押圧されて閉じる分離体と、前記握持用本体及び前記分離体のそれぞれの内部に医療用チューブを保持するように形成されたチューブ保持孔と、このチューブ保持孔と外部空間とを連通して前記握持用本体及び前記分離体の側部に形成された連通路と、前記握持用本体を閉じたとき、前記医療用チューブの該当個所を挟圧して流れを阻止するように、前記握持用本体の内側の対応する個所及び前記分離体の内側の対応する個所に設けられた第１止流部及び第２止流部と、前記握持用本体を閉じたとき、前記第１止流部及び前記第２止流部の止流状態を維持するように、前記握持用本体及び前記分離体に設けられた第１保持部及び第２保持部と、前記握持用本体を閉じたとき、前記医療用チューブを前記第１止流部及び第２止流部の間で切断するカッターとを有し、前記把持用本体の屈曲部側に前記第１止流部が配置され、前記把持用本体の両端の開放側に前記分離体と該分離体の内側に設けられた前記第２止流部が配置されており、前記カッターは、前記連通路の開口方向に向かうほど長く突出した斜めの刃先を有しており、前記第１止流部の突起と突起との隙間をＷ1 、前記第２止流部の突起と突起との隙間をＷ2 、前記握持用本体に形成されたチューブ保持孔の内径をＤ1 、前記分離体に形成されたチューブ保持孔の内径をＤ2 、前記チューブの外径をＤ0 としたとき、Ｗ2 ＜Ｗ1 ＜Ｄ1 〜Ｄ2 、かつ、Ｗ2 ＜Ｄ0 とされていることを特徴とする医療用チューブの切り離し具を提供するものである。
【００２３】
本発明の第１又は第２の医療用チューブの切り離し具の使用に際しては、医療用チューブを握持用本体及び分離体の連通路を通してチューブ保持孔に挿通して、切り離し具を医療用チューブの所定の位置に装着する。そして、地震、火災等の災害が起こったとき、患者が握持用本体を握って閉じると、その内側に配置された分離体も閉じる。
【００２４】
その結果、握持用本体及び分離体の内側に設けられた第１止流部及び第２止流部が、医療用チューブを挟圧して血液等の流れを止める。また、握持用本体及び分離体に設けられた第１保持部及び第２保持部が、握持用本体及び分離体を閉じた状態に維持して、上記止流状態を維持する。それと同時に、カッターが医療用チューブを第１止流部と第２止流部との間で切断する。
【００２５】
その際、医療用チューブの患者の身体に接続された方の端部が分離体に保持されるようにし、医療用チューブの人工腎臓装置などに接続された方の端部が握持用本体に保持されるようにしておくことにより、患者は切断された医療用チューブとそれを閉止する分離体とをつけたまま、迅速に退避することができる。
【００２６】
そして、本発明の第１によれば、チューブを握持用本体と分離体の側方に開口した連通路を通してチューブ保持孔に挿入して保持させることができるので、人工腎臓装置等に医療用チューブを連結して透析回路等を組み立てた後に、切り離し具を任意の箇所に容易にかつ迅速に取付けることができる。
【００２７】
また、本発明の第１によれば、連通路の少なくとも一方の側部に付与したバネ性によって、チューブの挿入を容易にすることができ、しかもチューブを連通路を通して保持孔に挿入すると、チューブが連通路から抜けにくくすることができる。
【００２８】
本発明の第２によれば、非常時に握持用本体を把持して切り離し具を作動させるとき、カッターに押されたチューブが連通路の奥方には移動しやすいが、開口方向には移動しにくくして、チューブが連通路の開口から抜けてしまうことを防止し、チューブの切断を確実に行うことができる。
【００２９】
更に、上記第１又は第２の発明においては、チューブを連通路を通して各保持孔に挿入したとき、チューブが第２止流部の突起と突起との隙間Ｗ2 に押圧されて保持されるので、チューブが外れにくくなる。なお、第１止流部及び第２止流部の突起と突起の隙間Ｗ1 、Ｗ2 は、奥行き方向に伸びるスリット状の隙間であり、チューブが押圧されても横方向に伸びて流路断面積の減少が小さいのに対し、握持用本体及び分離体に形成されたチューブ保持孔は、チューブの外周に当接する円弧状をなすので、チューブ保持孔の内径を小さくしてチューブを保持しようとすると、チューブの流路断面積を小さくして流通抵抗となってしまう。また、第１止流部の突起と突起との隙間Ｗ2 は、握持用本体の作動角の制約によって小さくすることが困難である。このため、第２止流部の突起と突起の隙間Ｗ2 をチューブ外径Ｄ0 よりも小さくしてチューブを押圧保持させることが好ましいのである。
【００３０】
【発明の実施の形態】
図１〜５には、本発明による医療用チューブの切り離し具の一実施例が示されている。なお、図９〜１１に示した従来の医療用チューブの切り離し具と同じ部分には同符号を付してその説明を省略することにする。
【００３１】
図１に示すように、この医療用チューブの切り離し具３１には、握持用本体１２の握持部１２ａ、１２ｂが不用意に閉じてしまわないようにするためのストッパー３２が設けられている。この実施例の場合、ストッパー３２は、一方の握持部１２ａの内側に設けられたカッター３０の支持片２９と、他方の握持部１２ｂの爪部２１が設けられた部分（突出片１８の先端部）とを連結する薄肉片からなっている。なお、この薄肉片は、握持用本体１２を強制的に閉じたときに破断しやすいように、中央部に断面Ｖ字状の溝が形成されていることが好ましい。
【００３２】
また、カッター３０の刃先部分には、軟質合成樹脂からなる保護カバー３３が装着されている。この保護カバー３３は、カッター３０が医療用チューブＣに不用意に接触したときに医療用チューブＣの損傷を防ぐ役割をなすが、カッター３０を強制的に医療用チューブＣに押圧して切断するときには、その切断を妨げない材質のものとされる。保護カバー３３としては、例えば、▲１▼カッターの刃先にディッピング等によって被覆した軟質材、例えば樹脂やゴム、▲２▼カッターの刃先から一部が延出されるように、カッターの片面又は両面に接合した軟質シート、例えば軟質合成樹脂シート、粘着テープや、発泡ウレタンテープ、▲３▼カッターの刃先を途中まで差し込んだ発泡ウレタンブロックや、シリコンチューブ等が好ましく使用される。
【００３３】
更に、この医療用チューブの切り離し具３１においては、図９〜１１に示した切り離し具の挿通孔１５ａ、１５ｂ、１５ｃ、１５ｄの代わりに、握持用本体１２及び分離体１４の所定個所に、保持孔３４ａ、３４ｂ、３４ｃ、３４ｄと、これらの保持孔を外部空間に連通させる連通路３７ａ、３７ｂ、３７ｃ、３７ｄとが形成されている。特に図２を参照すると、これらの連通路３７ａと保持孔２４ａは、全体として、外部空間側から保持孔３４ａ内部へ至る方向において、幅が漸減するテーパ状部Ａと、幅が拡大する拡大状部Ｂとを有し、それによって医療用チューブＣを圧縮させてテーパ状部Ａから押し込むと、拡大状部Ｂで広がって挿入保持され、挿入した医療用チューブＣが保持孔３４ａから不用意に抜けないようになっている。
【００３４】
また、両端にある保持孔３４ａ、３４ｄ及び連通路３７ａ、３７ｂにおいては、図２（図２においては保持孔３４ａ、連通路３７ａしか示されていないが、保持孔３４ｄ、連通路３７ｄも同じ構造をなす）に示すように、連通路３７ａ、３７ｄの両側にそれぞれ溝３５ａ、３５ａ、３５ｂ、３５ｂが形成され、それによってバネ性を有して独立した両側部３６ａ、３６ａ、３６ｂ、３６ｂが形成され、この両側部３６ａ、３６ａ、３６ｂ、３６ｂによって、医療用チューブＣを挿入するとき、両側部３６ａ、３６ａ、３６ｂ、３６ｂが弾性的に広がって挿入しやすくなっている。
【００３５】
なお、保持孔３４ａ、３４ｄ及び連通路３７ａ、３７ｂのいずれか一方の側部に溝３５ａ、３５ｂが形成され、保持孔３４ａ、３４ｄ及び連通路３７ａ、３７ｂのいずれか一方の側部３６ａ、３６ｂのみがバネ性を有していてもよい。
【００３６】
この切り離し具３１の使用に際しては、医療用チューブＣを切り離し具３１の連通路３７ａ、３７ｂ、３７ｃ、３７ｄを通して、保持孔３４ａ、３４ｂ、３４ｃ、３４ｄに側方から挿入することにより、切り離し具３１を医療用チューブＣの任意の位置にワンタッチで簡単に装着することができる。また、医療用チューブＣを患者の身体や人工腎臓装置等に接続して透析回路等を形成した後に、切り離し具３１を装着することが可能となる。
【００３７】
図３は、医療用チューブＣに切り離し具３１を装着した状態を示すが、この切り離し具３１では、握持用本体１２の握持部１２ａ、１２ｂが不用意に閉じてしまわないようにするためのストッパー３２が設けられているので、切り離し具３１の取扱中や患者が人工透析等を受けている間に、握持用本体１２が不用意に閉じて作動してしまう、すなわち、チューブＣが第１止流部２０及び第２止流部２５によって押圧されて血流が停止し、カッター３０によってチューブＣが切断されてしまうのを防止できる。また、カッター３０の刃先に保護カバー３３が被せられているので、医療用チューブＣを切り離し具３１の保持孔３４ａ、３４ｂ、３４ｃ、３４ｄに挿入する際などに、医療用チューブＣがカッター３０に触れても、医療用チューブＣが損傷することが防止される。
【００３８】
そして、地震、火災などの災害があったときには、患者は、図４に示すように握持用本体１２の握持部１２ａ、１２ｂを握って閉じることにより、握持用本体１２に設けられた第１止流部２０の突起１６、１７によりチューブＣが挟圧されてその部分の血流が止められ、第１保持部２２の爪部１７、２１が係合してその状態が維持される。
【００３９】
また、分離体１４に設けられた第２止流部２５の突起２３、２４によりチューブＣが挟圧されてその部分の血流が止められ、第２保持部２８の爪部２６、２７が係合してその状態が維持される。
【００４０】
更に、カッター３０が、その刃先に被せられた保護カバー３３を突き破って、チューブＣを切断すると共に、連結部１３を切断して、握持用本体１２と分離体１４とを分離する。
【００４１】
したがって、図５に示すように、医療用チューブＣに接続された握持用本体１２と、医療用チューブＣ’に接続された分離体１４とを分離でき、医療用チューブＣ’が患者の身体に接続されるようにしておくことにより、患者は、切断された医療用チューブＣ’と、それを閉止する分離体１４とをつけたまま迅速に退避することができる。また、人工腎臓装置等に接続された医療用チューブＣは、握持用本体１２によって血液等の流出を防止される。
【００４２】
図６〜８には、本発明による医療用チューブの切り離し具を理解するための参考例が示されている。
【００４３】
この参考例の切り離し具４１は、図１〜５に示した前記実施例と基本的には同じ構造をなすが、前記実施例と比較したときの主な相違点は、分離体４４が握持用本体１２と別体に形成されている点にある。
【００４４】
すなわち、分離体４４は、全体として丸みを帯びたＣ字形をなし、その一端部４４ａは、握持用本体１２の一方の握持部１２ａの内側に形成された突起４６に当接し、その他端部４４ｂは、握持用本体１２の他方の握持部１２ｂの内側に当接して、握持用本体１２の内側に着脱可能に嵌め込まれている。
【００４５】
分離体４４の一端部４４ａの先端は爪部２６をなし、他端部４４ｂの先端は爪部２７をなし、これらの爪部２６、２７が分離体４４を閉じた状態に維持する第２保持部２８を構成している。また、分離体４４の一端部４４ａの内側に形成された突起２３と、他端部４４ｂの内側に形成された突起２４とで、第２止流部２５が構成されている。
【００４６】
一方、握持部本体１２には、前記実施例と同様に、突起１６、１９からなる第１止流部２０と、爪部１７、２１からなる第１保持部２２とが設けられている。また、一方の握持部１２ａに設けられたカッター３０に対応して、他方の握持部１２ｂには、医療用チューブＣを受ける突起４５が形成され、医療用チューブＣがカッター３０によって切断されやすくなっている。
【００４７】
この切り離し具４１においては、地震、火災等の災害時に、患者が握持部本体１２の握持部１２ａ、１２ｂを把持して閉じると、図７に示すように、握持部本体１２の第１止流部２０の突起１６、１９と、分離体４４の第２止流部２５の突起２３、２４とによって、医療用チューブＣが挟圧されて流路が閉塞され、握持部本体１２の第１保持部２２の爪部２１、１７と、分離体４４の第２保持部２８の爪部２６、２７とが係合して、上記の止流状態が維持される。更に、カッター３０によって医療用チューブＣが切断される。
【００４８】
この状態で、図８に示すように、患者は、分離体４４を握持用本体１２から取り外し、切断された一方の医療用チューブＣ’と分離体４４とを付けた状態で、迅速に退避することができる。また、人工腎臓装置等に接続されて残された他方の医療用チューブＣは、握持用本体１２の第１止流部２０によって止流状態を維持される。
【００４９】
そして、この切り離し具４１においても、医療用チューブＣを切り離し具４１の連通路３７ａ、３７ｂ、３７ｃ、３７ｄを通して保持孔３４ａ、３４ｂ、３４ｃ、３４ｄに側方から挿入することができるので、切り離し具３１を医療用チューブＣの任意の位置にワンタッチで簡単に装着することができ、医療用チューブＣを患者の身体や人工腎臓装置等に接続して透析回路等を形成した後に、切り離し具３１を装着することが可能となる。
【００５０】
図１４〜２１には、本発明による医療用チューブの切り離し具の他の実施例が示されている。図１４は切り離し具の作動前の状態の側面図、図１５は後方端面図、図１６は前方端面図、図１７は切り離し具を作動させた状態の側面図、図１８はストッパーの平面図、図１９はカッターによりストッパーを切断する順序を示す説明図、図２０は切り離し具の作動前の状態の側断面図、図２１はチューブの保持孔及び連通路とカッターとの関係を示す説明図である。なお、図９〜１１に示した従来の医療用チューブの切り離し具と同じ部分には同符号を付してその説明を省略することにする。
【００５１】
この実施例の切り離し具５１は、カッター３０の刃先がチューブＣに到達する経路を遮るように、本体側握持部１２の突出片１８と、分離体１４の他端部１４ｂとを連結する薄肉片状のストッパー５２を有している。図１８に示すようにこのストッパー５２は、その長さ方向２箇所に幅を狭くする溝５２ａ、５２ｂを有している。このストッパー５２によって、切り離し具５１のチューブＣへの装着等の取り扱い時に、カッター３０の刃先がチューブＣに接触することがより確実に防止される。また、分離体１４が薄肉片１３とストッパー５２とによって握持用本体１２に連結されるので、取り扱い時に分離体１４が脱落してしまうことを防止できる。
【００５２】
図１９に示すように、握持用本体１２を把持してカッター３０を強制的に押し込むと、ストッパー５２は、カッター３０により同図（ａ）、（ｂ）、（ｃ）で示すような順序で切断される。すなわち、同図（ａ）に示すようにカッター３０の刃先がストッパー５２に接触し、同図（ｂ）に示すように溝５２ａの部分でストッパー５２が切断され、同図（ｃ）に示すようにカッター３０の支持片２９によって溝５２ｂの部分でストッパー５２がその基部から破断される。これによって、切り離し具５１の作動時にストッパー５２がカッター３０を押し込むときの障害となることを防止している。
【００５３】
なお、ストッパー５２は、本体側握持部１２の突出片１８、又は分離体１４の他端部１４ｂのいずれか一方から延出され、両者を連結しないが両者の間に配置された部材で構成されていてもよい。
【００５４】
握持用本体１２は、その握持部１２ａ、１２ｂを少し開いた状態で、カッター３０の保護カバー３３を装着された刃先を、ストッパー５２にそれを切断してしまわない程度の弱い力で圧接されている。これによって、握持部１２ａ、１２ｂの相対位置を安定させ、切り離し具５１を作動させるときに、カッター３０の横ぶれを防止し、カッター３０によるチューブＣの切断が確実になされるようにしている。また、このことは、ストッパー５２を介して分離体１４を押圧し、分離体１４を安定保持させる役割も果たす。
【００５５】
特に図２１に示すように、握持用本体１２の一方の握持部１２ｂには、その両側に溝５３が形成され、この溝５３に別体の支持部材５４がスライド可能に装着されている。支持部材５４は、両側上面にリブ５４ａを有し、このリブ５４ａが分離体１４の両側下辺に当接して、分離体１４の横ぶれを防止し、取り扱い時に分離体１４が脱落してしまうのを防止する。また、切り離し具５１の落下等に対する耐衝撃性を高めることができる。なお、支持部材５４は、握持用本体１２と一体に成形されたリブ状突起で構成されていてもよい。
【００５６】
また、図２１に示すように、カッター３０の刃先３０ａは、保持孔３４ｄ（他の保持孔に対しても同じ）の開口方向に向かうに従って長く突出するように、斜めにされている。この場合、刃先３０ａの傾斜角度θは、１〜３０°、特には３°前後とすることが好ましい。１°より小さいと次に述べる効果が小さく、逆に３０°より大きいと切断のために必要なストロークが増大したり、チューブの挿入が困難になる。このように、刃先３０ａを斜めにしたことにより、カッター３０を押し込んだとき、チューブＣが保持孔３４ｄの奥方に押されることになるので、チューブＣが保持孔３４ｄから外れることを防止し、チューブＣを確実に捕捉して切断することができる。
【００５７】
第１止流部２０の突起と突起との間隔をＷ1 （図２２参照）とし、第２止流部２５の突起と突起との間隔Ｗ2 とし、保持孔３４ａの内径をＤ1 （図１６参照）とし、保持孔３４ｄの内径をＤ2 （図２１参照）とし、チューブＣの外径をＤ0 としたとき、Ｗ2 ＜Ｗ1 ＜Ｄ1 〜Ｄ2 とされており、かつ、Ｗ2 ＜Ｄ0 とされている。これによって、チューブＣを各連通路３７ａ、３７ｂ、３７ｃ、３７ｄを通して各保持孔３４ａ、３４ｂ、３４ｃ、３４ｄに挿入したとき、第１止流部２０、第２止流部２５の間を通るチューブＣが、少なくとも第２止流部２５の間隔Ｗ2 に挟まれて保持されるので、チューブＣが各保持孔３４ａ、３４ｂ、３４ｃ、３４ｄから抜けにくくすることができる。
【００５８】
なお、分離体１４の第２止流部２５の間隔Ｗ2 をチューブＣの外径Ｄ0 より小さくしても、第２止流部２５の間隔Ｗ2 は奥行のある隙間であるため、チューブＣが横に広がって内部の流路断面積を確保できるが、保持孔３４ａ、３４ｄの内径Ｄ1 、Ｄ2 をチューブＣの外径より小さくしてしまうと、その流路断面積が狭められてしまい、かつ、同じ装置で直径の異なる複数種類のチューブに対応できなくなるので好ましくない。また、握持用本体１２の方の第１止流部２０の間隔Ｗ1 を狭くすると、各止流部に必要とされる移動ストローク量設定の関係から、握持用本体１２を把持するときの第１止流部２０における押圧力が強くなる傾向があり、強い力が必要となる。このような理由から、上記のようにＷ2 ＜Ｗ1 ＜Ｄ1 〜Ｄ2 かつＷ2 ＜Ｄ0 とすることが好ましいのである。
【００５９】
この切り離し具５１によれば、地震、火災等の非常時に患者が握持用本体１２を強く把持すると、図１７に示すように、カッター３０がストッパー５２を切断し、チューブＣを切断し、更に薄肉片１３を切断して、分離体１４を握持用本体１２から分離する。また、第１止流部２０が、切断された一方のチューブＣ（人工腎臓装置等に接続された方のチューブ）を挟圧して血流を止め、第１保持部２２が係合してその状態が維持される。また、第２止流部２５が、切断された他方のチューブＣ’（患者に接続された方のチューブ）を挟圧して血流を止め、第２保持部２８が係合してその状態が維持される。したがって、患者は、切断された医療用チューブＣ’と、それを閉止する分離体１４とをつけたまま迅速に退避することができる。
【００６０】
【発明の効果】
以上説明したように、本発明の医療用チューブの切り離し具によれば、人工透析や点滴などの医療用チューブに付設しておくことにより、地震、火災等の災害時に患者が握持用本体を把持するだけで、医療用チューブを切り離して退避することが可能となる。また、チューブを握持用本体及び分離体の連通路を通して保持孔に側方から挿入することができるので、人工腎臓装置等に医療用チューブを連結して透析回路等を組み立てた後に、切り離し具を任意の個所に容易にかつ迅速に取付けることができる。
【図面の簡単な説明】
【図１】  本発明の医療用チューブの切り離し具の一実施例を示す側面図である。
【図２】  同切り離し具の前方端面図である。
【図３】  同切り離し具を医療用チューブに付設した状態を示す側面図である。
【図４】  同切り離し具の握持用本体を閉じた状態を示す側面図である。
【図５】  同切り離し具の分離体を分離させた状態を示す側面図である。
【図６】  本発明の医療用チューブの切り離し具を理解するための参考例を示す斜視図である。
【図７】  同切り離し具の握持用本体を閉じた状態を示す側面図である。
【図８】  同切り離し具の分離体を分離させた状態を示す側面図である。
【図９】  従来の医療用チューブの切り離し具の一例を示す側面図である。
【図１０】  同切り離し具の握持用本体を閉じた状態を示す側面図である。
【図１１】  同切り離し具の分離体を分離させた状態を示す側面図である。
【図１２】  人工透析の方法を示す説明図である。
【図１３】  人工透析時に災害等が起きたとき、医療用チューブを切り離す従来の方法の一例を示す説明図である。
【図１４】  本発明の医療用チューブの切り離し具の他の実施例を示す作動前の状態の側面図である。
【図１５】  同切り離し具の後方端面図である。
【図１６】  同切り離し具の前方端面図である。
【図１７】  同切り離し具を作動させた状態の側面図である。
【図１８】  同切り離し具のストッパーの平面図である。
【図１９】  同切り離しにおいてカッターによりストッパーを切断する順序を示す説明図である。
【図２０】  同切り離し具の作動前の状態の側断面図である。
【図２１】  同切り離し具のチューブの保持孔及び連通路とカッターとの関係を示す説明図である。
【図２２】  図１４のＸ−Ｘ線に沿った断面図である。
【符号の説明】
１２  握持用本体
１２ａ、１２ｂ  握持部
１３  薄肉片
１４、４４  分離体
１６  突起
１７  爪部
１９  突起
２０  第１止流部
２２  第１保持部
２３、２４  突起
２５  第２止流部
２６、２７  爪部
２８  第２保持部
３０  カッター
３０ａ  刃先
３１、４１、５１  切り離し具
３２、５２  ストッパー
３３  保護カバー
３４ａ、３４ｂ、３４ｃ、３４ｄ  保持孔
３５ａ、３５ｂ  溝
３６ａ、３６ｂ  側部
３７ａ、３７ｂ、３７ｃ、３７ｄ  連通路
５４  支持部材
５４ａ  リブ
Ｗ1   第１保持部の間隔
Ｗ2   第２保持部の間隔
Ｄ0   チューブの外径
【図１】
0003853014.tif 000002
【図２】
0003853014.tif 000003
【図３】
0003853014.tif 000004
【図４】
0003853014.tif 000005
【図５】
0003853014.tif 000006
【図６】
0003853014.tif 000007
【図７】
0003853014.tif 000008
【図８】
0003853014.tif 000009
【図９】
0003853014.tif 000010
【図１０】
0003853014.tif 000011
【図１１】
0003853014.tif 000012
【図１２】
0003853014.tif 000013
【図１３】
0003853014.tif 000014
【図１４】
0003853014.tif 000015
【図１５】
0003853014.tif 000016
【図１６】
0003853014.tif 000017
【図１７】
0003853014.tif 000018
【図１８】
0003853014.tif 000019
【図１９】
0003853014.tif 000020
【図２０】
0003853014.tif 000021
【図２１】
0003853014.tif 000022
【図２２】
0003853014.tif 000023